(57)【特許請求の範囲】
【請求項１】
各々が光軸を中心にした開口部を有していて両者の間に羽根室を構成している一対の板部材と、前記羽根室内において前記板部材の一方に対して回転可能に取り付けられている少なくとも１枚の羽根と、永久磁石を有していて前記開口部の側方位置において光軸と平行な軸上で回転可能に配置されており一体化した出力ピンによって前記羽根を往復回転させて前記開口部に進退させる回転子と、筒状をした巻き芯の一端に第１フランジを形成し他端には第１フランジよりも外形形状の大きな第２フランジを形成しているほかそれらのフランジの間に少なくとも一つの第３フランジを形成することによって複数の巻回部を構成しているボビン部材と、基部と二つの脚部とで略Ｕ字形をしており一方の脚部は前記ボビン部材に第１フランジ側から貫通して先端側に設けた磁極部を前記回転子の周面に光軸とは反対側から対向させ他方の脚部は全体として基部から先端に向かうにしたがって該一方の脚部から離れるように形成されているヨークと、全ての前記巻回部に対して同一方向へ巻回されており且つ第３フランジの第１フランジ側の巻回部よりも第２フランジ側の巻回部の方が巻き径が大きくなるようにして巻回されており第１フランジと第２フランジに別々に立設されているかそれらのいずれか一方にだけ立設された二つの端子ピンに対して両端を巻き付けているコイルと、を備えていることを特徴とするカメラ用羽根駆動装置。
【請求項２】
前記第１フランジと前記第２フランジの少なくとも一方が、前記巻回部側とは反対側に平板部を形成しており、該平板部に前記端子ピンが立設されていて、前記ボビン部材が、前記一方の板部材に対して前記平板部で取り付けられる固定子枠として構成されていることを特徴とする請求項１に記載のカメラ用羽根駆動装置。
【請求項３】
前記第１フランジに形成した前記平板部に前記二つの端子ピンの一方を第１端子ピンとして立設し、前記第２フランジに形成した前記平板部に前記二つの端子ピンの他方を第２端子ピンとして立設しているほか、一つだけ形成した前記第３フランジには第３端子ピンを立設しており、前記コイルは、第１端子ピンと第３端子ピンとの間に構成された前記巻回部に巻回されているコイル部がその両端を第１端子ピンと第３端子ピンに個々に巻き付けられ、第２端子ピンと第３端子ピンとの間に構成された前記巻回部に巻回されているコイル部がその両端を第２端子ピンと第３端子ピンに個々に巻き付けられているようにしたことを特徴とする請求項２に記載のカメラ用羽根駆動装置。
【発明の詳細な説明】
【技術分野】
【０００１】
本発明は、電磁アクチュエータによって少なくとも１枚の羽根を往復作動させ、被写体光路用の開口部に進退させるようにしたカメラ用羽根駆動装置に関する。
【背景技術】
【０００２】
カメラ用の羽根駆動装置としては、レンズシャッタ装置，フォーカルプレンシャッタ装置，絞り装置，フィルタ装置，レンズバリア装置が知られているが、本発明で対象にするカメラ用羽根駆動装置は、レンズシャッタ装置（以下、シャッタ装置という），絞り装置，フィルタ装置，レンズバリア装置である。また、これらの装置に用いる電磁アクチュエータ（以下、アクチュエータという）としては、種々のタイプのアクチュエータが知られているが、本発明で対象にするアクチュエータは、下記の特許文献１，２に記載されているタイプの電流制御式のアクチュエータであって、装置全体を偏平に構成するのに有利なものとして知られている。
【０００３】
この種のアクチュエータは、予めユニットとして構成しておいてから装置に組み付けるようにしても差し支えないが、実際には、コストや配置スペースなどの点を勘案して、回転子と固定子とを、装置の地板に対して個別に取り付けているのが普通である。そして、その回転子は、径方向に着磁された永久磁石を有していて、所定の角度範囲内においてだけ往復回転させられるようになっており、一体化している出力ピンによって、少なくとも１枚の羽根を直接又は間接に往復作動させ、被写体光路用の開口部に進退させるようにしている。
【０００４】
また、固定子は、基部と二つの脚部とで略Ｕ字形に形成されていて、それらの脚部の先端側に形成された磁極部を、回転子を間にして回転子の周面に対向させるように配置されているヨークと、通電されたとき、それらの二つの磁極部に異なる極性の磁力が生じるように励磁するコイルとからなっている。そして、そのヨークは、特許文献１に記載されているアクチュエータのように、コイルを巻回した筒状の巻き芯を有する独立のボビン部材に対して、一方の脚部を貫通させるように構成したものと、特許文献２に記載されているアクチュエータのように、地板に直接取り付けられる固定子枠の一部として形成されている、コイルを巻回した筒状の巻き芯を有するボビン部に対して、一方の脚部を貫通させるように構成したものとが知られている。
【０００５】
そして、特許文献１，２に記載されている実施例の構成の場合には、ヨークの一方の脚部は、ボビン部材又はボビン部に貫通し得るようにするために、全体として直線状に形成されている。しかしながら、他方の脚部は、上記の一方の脚部との間隔が、基部側では一番狭いが、その磁極部を回転子の周面に対向し得るようにするために、基部から先端に向かうにしたがい、光軸には近づかないようにして、全体として大きくなっていくように形成されている。このように他方の脚部が光軸に近づかないように形成されている理由は、特許文献１，２に記載されている実施例がシャッタ装置であって、他方の脚部の光軸側には、地板の厚さ内に撮影レンズの一部を受け入れるための、撮影光路用の開口部（露光開口）よりも大きな凹部又は開口部が形成されているので、アクチュエータを配置することができないからである。
【０００６】
しかしながら、ヨークをこのような形状にして配置するようにした場合には、上記の各実施例のように、地板に撮影光路用の開口部よりも大きな凹部又は開口部を形成しておらず、撮影光路用の開口部だけを形成しているシャッタ装置であっても、また、絞り装置などの他のカメラ用羽根駆動装置であっても、アクチュエータを撮影光路用の開口部に近づけ配置するのに有利であり、装置の小型化、コンパクト化が可能になる。本発明は、このような形状のヨークを備えていて、上記の一方の脚部の磁極部を、光軸とは反対側から回転子の周面に対向させ、上記の他方の脚部の磁極部を、光軸側から回転子の周面に対向させるようにして配置したカメラ用羽根駆動装置に関するものである。
【先行技術文献】
【特許文献】
【０００７】
【特許文献１】特開２００９−７５３９７号公報
【特許文献２】特開２００９−３００６６１号公報
【発明の概要】
【発明が解決しようとする課題】
【０００８】
ところで、本発明で対象としている上記のような構成をしたカメラ用羽根駆動装置に対しても、最近では、装置の性能を向上させるために、羽根の作動速度を速くすることが要求されている。周知のように、そのような要求に応えるためには、羽根を軽量化する方法と、アクチュエータの駆動力を大きくする方法とがある。しかしながら、羽根の軽量化を図るのは、容易なことではない。
【０００９】
そこで、アクチュエータの駆動力を大きくするために、コイルの巻き数を多くすることが考えられるが、特許文献１，２に記載されているアクチュエータの構成では、ヨークが一方の脚部を、その基部の近傍まで、ボビン部材又は固定子枠のボビン部に対して挿入しているため、コイルの巻き径を大きくすることができない。そうだからといって、コイルの巻回部の長さを長くすると、必然的にヨークの形状が大きくなって、その分だけアクチュエータの配置スペースが大きくなってしまうので、装置全体の小型化，コンパクト化が損なわれたり、レイアウト上での自由度が損なわれてしまう。
【００１０】
本発明は、このような問題点を解決するためになされたものであり、その目的とするところは、特許文献１，２に記載されているような構成のアクチュエータを備えたカメラ用羽根駆動装置において、ヨークの形状を変えたり大きさを大きくしたりせず、且つアクチュエータの配置スペースを殆ど大きくすることなく、コイルの巻き数を多くし、アクチュエータの駆動力を大きくすることを可能にした、小型化，コンパクト化に適するカメラ用羽根駆動装置を提供することである。
【課題を解決するための手段】
【００１１】
上記の目的を達成するために、本発明のカメラ用羽根駆動装置は、各々が光軸を中心にした開口部を有していて両者の間に羽根室を構成している一対の板部材と、前記羽根室内において前記板部材の一方に対して回転可能に取り付けられている少なくとも１枚の羽根と、永久磁石を有していて前記開口部の側方位置において光軸と平行な軸上で回転可能に配置されており一体化した出力ピンによって前記羽根を往復回転させて前記開口部に進退させる回転子と、筒状をした巻き芯の一端に第１フランジを形成し他端には第１フランジよりも外形形状の大きな第２フランジを形成しているほかそれらのフランジの間に少なくとも一つの第３フランジを形成することによって複数の巻回部を構成しているボビン部材と、基部と二つの脚部とで略Ｕ字形をしており一方の脚部は前記ボビン部材に第１フランジ側から貫通して先端側に設けた磁極部を前記回転子の周面に光軸とは反対側から対向させ他方の脚部は全体として基部から先端に向かうにしたがって該一方の脚部から離れるように形成されているヨークと、全ての前記巻回部に対して同一方向へ巻回されており且つ第３フランジの第１フランジ側の巻回部よりも第２フランジ側の巻回部の方が巻き径が大きくなるようにして巻回されており第１フランジと第２フランジに別々に立設されているかそれらのいずれか一方にだけ立設された二つの端子ピンに対して両端を巻き付けているコイルと、を備えているようにする。
【００１２】
その場合、前記第１フランジと前記第２フランジの少なくとも一方が、前記巻回部側とは反対側に平板部を形成しており、該平板部に前記端子ピンが立設されてていて、前記ボビン部材が、前記一方の板部材に対して前記平板部で取り付けられる固定子枠として構成されているようにしてもよい。
【００１３】
更に、前記第１フランジに形成した前記平板部に前記二つの端子ピンの一方を第１端子ピンとして立設し、前記第２フランジに形成した前記平板部に前記二つの端子ピンの他方を第２端子ピンとして立設しているほか、一つだけ形成した前記第３フランジには第３端子ピンを立設しており、前記コイルは、第１端子ピンと第３端子ピンとの間に構成された前記巻回部に巻回されているコイル部がその両端を第１端子ピンと第３端子ピンに個々に巻き付けられ、第２端子ピンと第３端子ピンとの間に構成された前記巻回部に巻回されているコイル部がその両端を第２端子ピンと第３端子ピンに個々に巻き付けられているようにしてもよい。
【発明の効果】
【００１４】
本発明は、特許文献１，２に記載されているような構成のアクチュエータを備えているカメラ用羽根駆動装置において、ボビン部材、又は固定子枠のボビン部に、従来の二つのフランジのほかに少なくとも一つの第３フランジを形成して複数の巻回部を構成し、ヨークの基部側となる巻回部に巻回されているコイル部よりも磁極部側となる巻回部に巻回されているコイル部の方が、巻き径が大きくなるようにしたものであるから、ヨークの形状，大きさ，配置構成を変えることなく、アクチュエータの駆動力を大きくすることが可能になる。
【図面の簡単な説明】
【００１５】
【図１】撮影待機状態を示した実施例１の平面図である。
【図２】実施例１の分解斜視図である。
【図３】実施例１に用いられている固定子を示したものであって、（ａ）は平面図であり、（ｂ）は（ａ）の底面図であり、（ｃ）は（ａ）の背面図である。
【図４】撮影終了直後の状態を示した実施例１の平面図である。
【図５】実施例２に用いられる固定子枠を示したものであって、（ａ）は平面図であり、（ｂ）は（ａ）の底面図であり、（ｃ）は（ａ）の背面図である。
【図６】実施例３に用いられるボビン部材を示したものであって、（ａ）は平面図であり、（ｂ）は（ａ）の底面図であり、（ｃ）は（ａ）の背面図である。
【発明を実施するための形態】
【００１６】
本発明の実施の形態を、図示した三つの実施例によって説明する。本発明のカメラ用羽根駆動装置は、上記したように、シャッタ装置，絞り装置，フィルタ装置として構成することができるものである。また、特許文献１にも記載されているようにして、それらの装置の複数を一つのユニットとして構成することもできるものである。しかしながら、それらの全ての実施態様を図面を用いて詳細に説明するまでもないので、以下に説明する実施例は、本発明をシャッタ装置だけで構成したものにし、その他の態様については、必要に応じて適宜説明することにする。尚、図面は、図１〜図４が、実施例１を説明するためのものであり、図５が、実施例２を説明するためのものであり、図６が、実施例３を説明するためのものである。
【実施例１】
【００１７】
本実施例は、３枚のシャッタ羽根を備えたシャッタ装置として構成したものである。そして、その説明に用いる図面は、図１が、撮影待機状態を示した平面図であり、図２が、分解斜視図である。また、図３は、本実施例に用いられている固定子を示したものであって、（ａ）は平面図であり、（ｂ）は（ａ）の底面図であり、（ｃ）は（ａ）の背面図である。更に、図４は、撮影終了直後の状態を図１と同様にして示した平面図である。
【００１８】
そこで先ず、主に図１〜図３を用いて、本実施例の構成を説明する。地板１は、合成樹脂製であって平面外形形状は円形であり、その中心に、光軸を中心にして円形をした撮影光路用の開口部１ａを有している。地板１の背面側には、地板１よりも薄くて、且つ地板１と同じ平面外形形状をしているカバー板２が、図示していない適宜な手段によって取り付けられている。そして、一対の板部材である地板１とカバー板２との間には、羽根室が構成されている。また、このカバー板２にも、光軸を中心にした円形の開口部２ａが形成されているが、その直径は上記の開口部１ａより若干大きいので、本実施例の場合には、地板１の開口部１ａが、露光開口を規制している。
【００１９】
地板１は、羽根室側の面とは反対側になる面の一部が、アクチュエータを取り付けるために複雑な形状に形成されていて、そこには、回転子取付け軸１ｂと、位置決めピン１ｃと、固定子枠取付け軸１ｄとが立設されているほか、後述する回転子３の出力ピン３ｃを貫通させるための円弧状の長孔１ｅが形成されている。
【００２０】
そこで次に、アクチュエータの取付け構成を説明する。本実施例の回転子３は、円筒形をしていて径方向へ２極に着磁されている永久磁石製の本体部３ａと、その本体部３ａに一体成形されていて径方向に張り出している合成樹脂製の腕部３ｂと、その腕部３ｂの先端に形成された出力ピン３ｃとからなっているが、周知のように、腕部３ｂと出力ピン３ｃとを、本体部３ａと共に永久磁石製にしても構わない。そして、この回転子３は、本体部３ａを、回転子取付け軸１ｂに対して回転可能に嵌合させ、出力ピン３ｃを上記の長孔１ｅに貫通させているが、その出力ピン３ｃの先端は、カバー板２に形成されていて上記の長孔１ｅと同じ形状に形成されている図示していない長孔に挿入されている。
【００２１】
アクチュエータの固定子は、図３に分かり易く示しているように、固定子枠４と、コイル５と、ヨーク６とからなっている。それらのうち、固定子枠４は、二つの平板部４ａ，４ｂの間にボビン部を形成しているが、平板部４ａには孔４ｃが形成され、一方の面には二つの端子ピン４ｄ，４ｅが立設されている。
【００２２】
固定子枠４のボビン部は、筒状をした巻き芯４ｆと、その両端に形成されたフランジ４ｇ，４ｈと、略中間に形成されたフランジ４ｉとからなっていて、それらのフランジの間に二つの巻回部を構成している。また、巻き芯４ｆを中心にした各フランジの外形形状は、フランジ４ｇとフランジ４ｈが略正方形に形成され、フランジ４ｉが略長方形に形成されている。そして、フランジ４ｇは、一辺の長さがフランジ４ｈの一辺の長さより長く、フランジ４ｉは、長辺の長さがフランジ４ｇの一辺の長さと同じであり、短辺の長さはフランジ４ｈの一辺の長さと同じになっている。また、中間のフランジ４ｉには、二つの長辺の外周面から巻き芯４ｆに向けて切り込み部４ｊ，４ｋが形成されているが、各々の切り込み部４ｊ，４ｋの対向面は、相手側に対して突き出した曲面となるように形成されている。尚、図３においては、切り込み部４ｊの二つの対向面の一方に符号４ｊ−１を付け、切り込み部４ｋの二つの対向面の一方には符号４ｋ−１を付けてある。
【００２３】
固定子の構成部材であるコイル５は、１本の巻き線を、上記の二つの巻回部に対し、巻き径が異なるようにして同じ方向に巻回したものであり、図示していない両端を上記の端子ピン４ｄ，４ｅに巻き付けている。コイル５を、このように巻回する具体的な方法としては複数の方法が考えられるが、本実施例では、巻き線の一端を端子ピン４ｄに巻き付けておき、フランジ４ｈとフランジ４ｉとの間の第１巻回部に少なくとも一重だけ巻回した後、切り込み部４ｊを通して他方の第２巻回部へ導き、そこで所定の巻き径になるまで巻回し、その後、他方の切り込み部４ｋを通して第１巻回部に戻し、既に一部だけ巻回されているコイルの上から所定の巻き径になるまで巻回し、最後に端子ピン４ｅに巻き付けている。
【００２４】
尚、このことから分かるように、本実施例の場合には、フランジ４ｉに二つの切り込み部４ｊ，４ｋを形成しているが、どちらか一つだけを形成した場合であっても、実質的に同じ方法での巻き線が可能である。また、巻回方法によっては、このような切り込み部を三つ以上形成した方がよい場合もある。このように切り込み部を形成しておくと、巻き線加工がし易く、また、仕上がり状態も良好になって、その後の運搬や加工作業上での取り扱いも容易になる。特に、本実施例の場合には、切り込み部４ｊ，４ｋの対向面４ｊ−１，４ｋ−１が上記のような曲面に形成されているので、巻き線加工が好適に行え、巻き線に損傷を与えるおそれが全くない。
【００２５】
固定子の構成部材であるヨーク６は、基部６ａと二つの脚部６ｂ，６ｃとで略Ｕ字形に形成されており、その基部６ａには孔６ｄが形成され、脚部６ｂ，６ｃの先端側には磁極部６ｅ，６ｆが形成されている。そして、一方の脚部６ｂは、上記の筒状の巻き芯４ｆを貫通させるために、全体として直線状に形成されているが、他方の脚部６ｃは、基部６ａから先端に向かうにしたがって、脚部６ｂから離れていくように形成されている。そのため、このヨーク６は、その脚部６ｂを、巻き芯４ｆに対してフランジ４ｈ側から、基部６ａがフランジ４ｈに接触するまで挿入しても、他方の脚部６ｃが、フランジ４ｉ，４ｇによって変形されてしまうようなことはない。
【００２６】
その結果、本実施例のアクチュエータは、従来のアクチュエータよりも、ヨークの形状や大きさを変えることなく、大きな駆動力が得られるようになっている。即ち、特許文献１，２に記載されているアクチュエータの場合には、ボビン部材や、固定子枠のボビン部には、いずれも巻回部が一つしかないため、巻き径を大きくしようとしても、ヨークの基部近傍における二つの脚部の間隔で規制され、大きくすることができないが、本実施例の場合には、上記のように二つの巻回部を構成しているので、フランジ４ｇとフランジ４ｉとの間に構成されている巻回部の巻き径を従来よりも大きくすることが可能になっていて、その分だけ大きな駆動力が得られるようになっている。
【００２７】
尚、本実施例の場合には、フランジ４ｇとフランジ４ｈの中間にフランジ４ｉを形成することによって二つの巻回部を構成しているが、本発明は、このような構成に限定されず、フランジ４ｉに相当する中間フランジを複数個所に形成して巻回部を三つ以上構成するようにしても構わない。そのように構成すると、本実施例の構成よりも、コイルを沢山巻回することができ、駆動力をさらに大きくすることが可能になる。
【００２８】
そこで次に、地板１に対する、図３に示された固定子の取り付け方を説明する。先ず、固定子を図３の（ｂ）に示された状態にしておいてから下方へ移動させ、ヨーク６の二つの脚部６ｂ，６ｃのうち脚部６ｃの方を開口部１ａ側、即ち光軸側にして地板１の上に載置するが、このとき、ヨーク６に形成されている孔６ｄを地板１の位置決めピン１ｃに嵌合させ、固定子枠４の平板部４ａに形成されている孔４ｃを地板１の固定子枠取付け軸１ｄに嵌合させる。それにより、固定子は、地板１に形成されている複雑な形状によって、地板１の面と平行な方向、即ち光軸とは垂直になる方向への動きができなくなる。そして、このとき、回転子３の本体部３ａの周面には、ヨーク６の磁極部６ｃが光軸側から対向し、磁極部６ｂが光軸とは反対側から対向した状態になる。
【００２９】
ところで、この状態のときには、固定子枠取付け軸１ｄの先端は、固定子枠４の孔４ｃから上方へ突き出ている。そこで次に、その先端を加熱して溶融させ、円盤状に変形させることによって、固定子枠４が地板１に取り付けられる。図２に示された固定子枠取付け軸１ｄの形状は、そのように先端を変形する前の形状で示されている。そして、このようにして、固定子枠４が地板１に取り付けられた状態においては、平板部４ｂは、回転子３が回転子取付け軸１ｂから抜けるのを防止する役目をしている。
【００３０】
尚、本実施例の固定子枠４は、このようにして地板１に取り付けられているが、本発明は、このような取付け方に限定されるものではない。例えば、平板部４ｂを大きくすることによって、特許文献２に記載されているように、両方の平板部４ａ，４ｂを、二つのビスを用いて取り付けても構わないし、平板部４ａの方だけをビスで取り付けるようにしても構わない。また、上記のように、本実施例の場合には、平板部４ｂが回転子３の抜け止めの役目をしているが、他の手段によって回転子３の抜け止めをするように構成した場合には、平板部４ｂは必ずしも必要とはしないものになる。
【００３１】
このようにして地板１に取り付けられた後、固定子枠４には、フレキシブルプリント配線板７が、各々のランドに形成されている二つの孔を上記の端子ピン４ｄ，４ｅに嵌合させ、半田８，９によって接合されている。尚、本実施例の場合には、平板部４ａに二つの端子ピン４ｄ，４ｅを立設しているため、半田付け作業がし易くなっているが、本発明は、このような構成に限定されず、端子ピン４ｄ，４ｅを平板部４ａ，４ｂに別々に立設するようにしても構わない。また、半田によってフレキシブルプリント配線板７を固定子枠４に取り付ける工程は、固定子枠４にヨーク６を取り付ける前に行ってもよい。そのようにすると、半田付け作業によって付着しているフラックスなどの洗浄が行えて、地板に対する好適な取付け状態が得られる。
【００３２】
次に、地板１の羽根室側の構成を説明する。図１及び図４に示されているように、地板１の羽根室側の面には、三つの羽根取付け軸１ｆ，１ｇ，１ｈが立設されていて、それらに３枚のシャッタ羽根１０，１１，１２が取り付けられている。そして、それらの羽根取付け軸１ｆ，１ｇ，１ｈの先端は、カバー板２に形成された各々の孔に挿入されているが、図２には、羽根取付け軸１ｇの先端を挿入する孔２ｂだけが示されている。尚、羽根取付け軸１ｆは、回転子取付け軸１ｂと同心上に設けられている。
【００３３】
また、一番地板１側に配置されているシャッタ羽根１０は、周知の長孔を有していて羽根取付け軸１ｆに回転可能に取り付けられているが、図２には、その羽根取付け軸１ｆに対して回転可能に嵌合させる孔１０ａが示されている。また、真ん中に配置されているシャッタ羽根１１は、周知の長孔を有していて羽根取付け軸１ｇに回転可能に取り付けられている。更に、一番カバー板２側に配置されているシャッタ羽根１２は、周知の長孔を有していて羽根取付け軸１ｈに回転可能に取り付けられているが、図２には、その羽根取付け軸１ｈに対して回転可能に嵌合させる孔１２ａが示されている。そして、上記の回転子３の出力ピン３ｃは、それらの３枚の羽根１０，１１，１２に形成されている周知の長孔の全てに貫通されている。
【００３４】
次に、主に図１及び図４を用いて本実施例の作動を簡単に説明する。但し、図１及び図４においては、図面を見易くするために、図３で固定子の構成部材及び部位に対して付けていた符号の一部を省略してある。図１は、撮影待機状態を示したものである。この状態では、カメラの電源スイッチはオンになっているが、コイル５には通電されていない。しかしながら、周知のように、このときには、回転子３の本体部３ａと、ヨーク６の磁極部６ｅ，６ｆとの間に、本体部３ａの永久磁石の磁力が働いていて、回転子３は、時計方向へ回転するように付勢されている。
【００３５】
そのため、シャッタ羽根１０は、時計方向へ回転するように付勢され、シャッタ羽根１１，１２は、反時計方向へ回転するように付勢されているが、図示していないストッパによってそれらの回転を阻止され、図１の状態が維持されている。従って、この状態では、開口部１ａが全開になっていて、図示していない固体撮像素子には被写体光が当たっており、撮影者は、モニターによって被写体像を観察することが可能になっている。
【００３６】
撮影に際してレリーズボタンが押されると、固体撮像素子に蓄積されていた電荷が放出されて撮影が開始され、新たな電荷が固体撮像素子に蓄積されていく。そして、所定の時間が経過すると、露光時間制御回路からの信号によって、コイル５に対して順方向に電流が供給される。そのため、回転子３は反時計方向へ回転させられ、その出力ピン３ｃによって、シャッタ羽根１０を反時計方向へ回転させ、シャッタ羽根１１，１２を時計方向へ回転させて、開口部１ａに進入させていくが、このときには、羽根取付け軸１ｇから出力ピン３ｃまでの距離が、羽根取付け軸１ｈから出力ピン３ｃまでの距離よりも短いことから、シャッタ羽根１１の方がシャッタ羽根１２よりも速く回転し、両者の重なり量が少なくなっていく。
【００３７】
このようにして行われるシャッタ羽根１０，１１，１２の閉じ作動は、開口部１ａを完全に閉鎖した直後に、シャッタ羽根１０，１１の少なくとも一方が、図示していないストッパに当接することによって停止する。そして、固体撮像素子に蓄積された電荷が、撮像情報として記憶装置に転送されると、撮影が終了する。図４は、そのときの状態を示したものである。
【００３８】
このようにして、撮影が終了すると、今度はコイル５に対して逆方向の電流が供給される。そのため、回転子３は、図４の状態から時計方向へ回転させられ、出力ピン３ｃによって、シャッタ羽根１０を時計方向へ回転させ、シャッタ羽根１１，１２を反時計方向へ回転させて、開口部１ａから退かせていくが、このときにも、シャッタ羽根１１は、シャッタ羽根１２よりも速く回転するので、両者の重なり量は大きくなっていく。そして、開口部１ａが全開になると、少なくとも１枚のシャッタ羽根が、図示していないストッパに当接することによって、３枚のシャッタ羽根１０，１１，１２による開口部１ａの開き作動が停止する。その後、コイル５に対する通電を断つと、図１に示された撮影待機状態に復帰したことになる。
【００３９】
尚、本実施例のシャッタ装置は、３枚のシャッタ羽根１０，１１，１２を備えているが、周知のように、シャッタ装置の中には、一つのアクチュエータによって、１枚のシャッタ羽根を往復作動させるものや、特許文献１，２に記載されているような２枚のシャッタ羽根を往復作動させるものや、４枚のシャッタ羽根を往復作動させるものなどが知られている。そして、それらのように構成されたシャッタ装置は、そのままレンズバリア装置として採用し得ることも知られている。また、一つのシャッタ羽根を備えたものは、開口部１ａよりも小さい開口を形成することによって、特許文献１に記載されているような絞り装置とすることもできるし、その小さい開口を羽根に取り付けられたＮＤフィルタシートで覆うことによってフィルタ装置とすることも知られている。従って、それらの装置は、全て本発明のカメラ用羽根駆動装置である。
【実施例２】
【００４０】
次に、図５を用いて実施例２を説明する。本実施例の構成は、上記の実施例１における固定子枠の形状と、それに対するコイルの巻回方法が異なるだけである。そのため、ここでは、その固定子枠とコイルについてだけを説明し、その他の構成の説明を省略する。尚、図５（ａ）〜（ｃ）には、本実施例の固定子枠だけが、上記の図３（ａ）〜（ｃ）と同様にして示されているが、図示していないコイルについては、以下の説明だけで十分理解できるようにする。
【００４１】
本実施例の固定子枠１４は、二つの平板部１４ａ，１４ｂの間にボビン部を形成しているが、そのボビン部は、筒状をした巻き芯１４ｃと、その両端に形成されているフランジ１４ｄ，１４ｅと、それらのフランジ１４ｄ，１４ｅの略中間に形成されたフランジ１４ｆとからなっていて、それらのフランジの間に二つの巻回部を構成している。そして、フランジ１４ｄ，１４ｅは、実施例１におけるフランジ４ｇ，４ｈと同じ形状に形成されている。しかしながら、中間のフランジ１４ｆの場合は、平面外形形状は実施例１におけるフランジ４ｉと同じであるが、厚さは実施例１におけるフランジ４ｉよりも厚く形成されている。そして、そのフランジ１４ｆには、実施例１のフランジ４ｉに形成されていたような切り込み部を形成しておらず、端子ピン１４ｇを立設している。
【００４２】
更に、実施例１では、平板部４ａに二つの端子ピン４ｄ，４ｅを立設していたが、本実施例の場合には、それらに相当する端子ピン１４ｉ，１４ｊを、二つの平板部１４ａ，１４ｂに別々に立設している。尚、本実施例の平板部１４ａに形成されている孔１４ｈは、実施例１における孔４ｃに相当するものである。
【００４３】
固定子枠１４の二つの巻回部に対しては、図示していないコイルが巻回されるが、そのコイルは、当然のことながら、本実施例の場合にも、巻回方向は同じであって、フランジ１４ｅとフランジ１４ｆとの間の第１巻回部の巻き径よりも、フランジ１４ｄとフランジ１４ｆとの間の第２巻回部の巻き径の方が大きくなるようにする。
【００４４】
そして、その巻回方法の一例としては、巻き線の一端を端子ピン１４ｉに巻き付けておき、フランジ１４ｅとフランジ１４ｆとの間の第１巻回部に対して所定の巻き径が得られるまで巻回してから端子ピン１４ｇに巻き付け、その後、フランジ１４ｄとフランジ１４ｆとの間の第２巻回部に対して所定の巻き径が得られるまで巻回してから端子ピン１４ｊに巻き付けるようにする。但し、その場合においては、端子ピン１４ｇに巻き付けた段階で巻き線を一端切断し、あらためて、一端を端子ピン１４ｇに巻き付けておいてから、第２巻回部に巻回するようにしてもよい。
【００４５】
本実施例のコイルは、このように巻回しておいてから、フレキシブルプリント配線板の三つのランドに対して電気的に接続している。そのため、本実施例の場合には、回転子３の回転速度、言い換えれば、３枚のシャッタ羽根１０，１１，１２の回転速度を、３段階に制御することも可能になっている。即ち、上記の第１巻回部に巻回されているコイル部に対してだけ通電したときよりも、上記の第２巻回部に巻回されているコイル部に対してだけ通電したときの方が回転速度は速くなるし、実施例１のように両方のコイル部に対して通電したときには、さらに駆動力は大きくなる。
【００４６】
尚、本実施例のシャッタ装置としての作動は、このように、シャッタ羽根１０，１１，１２の回転速度を、３段階に制御することが可能になっているほかは、実施例１の場合の作動と実質的に同じである。そのため、本実施例の作動説明は省略する。
【実施例３】
【００４７】
次に、図６を用いて実施例３を説明する。本実施例は、特許文献２に記載されているカメラ用駆動装置や、上記の各実施例のように、コイルが、固定子枠に巻回されているのではなく、特許文献１に記載されているカメラ用駆動装置のように、地板に対しては直接固定されることのないボビン部材に対して巻回されるように構成したものである。そのため、そのボビン部材の形状と、そこに巻回されているコイルについてだけ説明し、その他の構成についての説明を省略する。また、シャッタ装置としての作動は、実施例１に準じて行われるので、その説明も省略する。尚、図６（ａ）〜（ｃ）は、本実施例のボビン部材だけを、上記の図３（ａ）〜（ｃ）のようにして示したものであるが、図示していないコイルについては、以下の説明だけで十分理解できるようにする。
【００４８】
本実施例のボビン部材２４は、二つの平板部２４ａ，２４ｂの間にボビン部が形成されており、そのボビン部は、筒状をした巻き芯２４ｃと、その両端に形成されているフランジ２４ｄ，２４ｅと、それらのフランジ２４ｄ，２４ｅの略中間に形成されたフランジ２４ｆとからなっていて、それらのフランジの間に二つの巻回部を構成している。そして、それらのフランジ２４ｄ，２４ｅ，２４ｆの形状は、実施例１におけるフランジ４ｇ，４ｈ，４ｉと同じであって、中間のフランジ２４ｆには、実施例１のフランジ４ｉに形成されていた切り込み部４ｊ，４ｋに相当する切り込み部２４ｇ，２４ｈが形成されている。また、実施例１では、平板部４ａに二つの端子ピン４ｄ，４ｅを立設していたが、本実施例では、それらに相当する端子ピン２４ｉ，２４ｊを、二つの平板部２４ａ，２４ｂに別々に立設している。
【００４９】
このようなボビン部材２４は、上記の各実施例における固定子枠４，１４のように、地板１に対して直接固定されたり、回転子３の抜け止めをしたりすることがない。本実施例における二つの平板部２４ａ，２４ｂは、端子ピン２４ｉ，２４ｊを立設するためと、図示していないフレキシブルプリント配線板の半田付けをし易くするためにだけ設けられているものである。そのため、これらの平板部２４ａ，２４ｂは、上記の各実施例の場合よりも小さく形成されている。
【００５０】
図示していない本実施例のコイルは、このようなボビン部材２４の二つの巻回部に対して巻回されるが、本実施例の場合にも、そのコイルは、巻回方向は同じであり、しかも、フランジ２４ｄとフランジ２４ｆとの間の第２巻回部における巻き径の方が、フランジ２４ｅとフランジ２４ｆとの間の第１巻回部における巻き径よりも大きくなるように巻回される。
【００５１】
また、コイルの巻回方法の具体的な一例としては、巻き線の一端を端子ピン２４ｉに巻き付けておき、第１巻回部に対して一重だけ巻回した後に、切り込み部２４ｇを通してから第２巻回部において二重だけ巻回し、その後、他方の切り込み部２４ｈを通してから第１巻回部において二重だけ巻回する、というように、それ以後は二つの巻回部に対して二重ずつ交互に巻回させていく。そして、第１巻回部に対する所定の巻き径が得られた後は第２巻回部に対してだけ巻回し、第２巻回部において所定の巻き径が得られると、端子ピン２４ｊに巻き付けるようにする。そのため、本実施例の場合には、切り込み部２４ｇ，２４ｈが、いずれか一方だけであっても、良好な巻き線状態が得られる。
【００５２】
尚、本実施例のボビン部材２４は、上記のような形状をしているが、実施例１の場合と同様に、二つの端子ピン２４ｉ，２４ｊを、二つの平板部２４ａ，２４ｂのいずれか一方に立設するようにしても構わない。また、そのようにするときには、他方の平板部は必ずしも必要としなくなる。そして、この場合のコイルの巻回方法は、実施例１の場合に準ずることになる。
【００５３】
また、本実施例におけるフランジ２４ｆを、実施例２におけるフランジ１４ｆのように形成し、そこに端子ピン１４ｇに相当する端子ピンを立設するようにしてもよい。そのようにするときには、コイルの巻回方法は、実施例２の場合に準ずることになる。また、本実施例のボビン部材２４は、二つの平板部２４ａ，２４ｂを有しているが、それらの平板部２４ａ，２４ｂは、必ずしも必要とするものではない。フランジ２４ｄ，２４ｅの厚さを厚くすれば、それらのフランジに端子ピン２４ｉ，２４ｊを別々に立設するようにすることもできるし、一方のフランジに二つの端子ピン２４ｉ，２４ｊを立設するようにすることも可能である。
【００５４】
更に、本実施例における三つのフランジ２４ｄ，２４ｅ，２４ｆは、上記のように、実施例１におけるフランジ４ｇ，４ｈ，４ｉと同じ形状をしている。即ち、フランジ２４ｄとフランジ２４ｅの平面外形形状は、一辺の長さは異なるものの、いずれも略正方形であるのに対し、中間のフランジ２４ｆの平面外形形状は、略長方形であって、その長辺はフランジ２４ｄの一辺と同じ長さであり、短辺はフランジ２４ｅの一辺と同じ長さである。そのため、中間のフランジ２４ｆは、本実施例のボビン部材２４が地板１上に配置されたとき、その短辺が光軸と平行になるように形成されていることになる。しかしながら、略長方形のフランジ２４ｆは、ボビン部材２４が地板１上に配置されたとき、その長辺が光軸と平行になるように形成されていても差し支えない。そして、このことは、上記の各実施例における中間のフランジ４ｉ，１４ｆの形状についても言えることである。
【００５５】
更にまた、本実施例の中間のフランジ２４ｆには、その長辺に相当する外周面からだけ巻き芯２４ｃに向けて切り込み部２４ｇ，２４ｈが形成されている。しかしながら、これらのような切り込み部２４ｇ，２４ｈは、短辺に相当する外周面からだけ巻き芯２４ｃに向けて形成しても差し支えないし、長辺と短辺に相当する両方の外周面から巻き芯２４ｃに向けて形成しても差し支えない。そして、このことは、上記の実施例１における中間のフランジ４ｉの形状についても言えることである。しかも、実施例１の説明で述べたように、これらの切り込み部２４ｇ，２４ｈは、二つに限定されず、一つであっても三つ以上であっても構わない。
【符号の説明】
【００５６】
１                                  地板
１ａ，２ａ                          開口部
１ｂ                                回転子取付軸
１ｃ                                位置決めピン
１ｄ                                固定子枠取付け軸
１ｅ                                長孔
１ｆ〜１ｈ                          羽根取付け軸
２                                  カバー板
２ｂ，４ｃ，６ｄ，１０ａ，１２ａ，１４ｈ    孔
３                                  回転子
３ａ                                本体部
３ｂ                                腕部
３ｃ                                出力ピン
４，１４                            固定子枠
４ａ，４ｂ，１４ａ，１４ｂ，２４ａ，２４ｂ  平板部
４ｄ，４ｅ，１４ｇ，１４ｉ，１４ｊ，２４ｉ，２４ｊ   端子ピン
４ｆ，１４ｃ，２４ｃ                巻き芯
４ｇ〜４ｉ，１４ｄ〜１４ｆ，２４ｄ〜２４ｆ  フランジ
４ｊ，４ｋ，２４ｇ，２４ｈ          切り込み部
４ｊ−１，４ｋ−１                  対向面
５                                  コイル
６                                  ヨーク
６ａ                                基部
６ｂ，６ｃ                          脚部
６ｅ，６ｆ                          磁極部
７                                  フレキシブルプリント配線板
８，９                              半田
１０，１１，１２                    シャッタ羽根
２４                                ボビン部材
【図１】
0005844147.tif 000002
【図２】
0005844147.tif 000003
【図３】
0005844147.tif 000004
【図４】
0005844147.tif 000005
【図５】
0005844147.tif 000006
【図６】
0005844147.tif 000007